(57)【要約】緊急情報のエンドポイントであるＴＶ等の受信装置における緊急情報の視聴実績を確認可能とした構成を提供する。緊急情報を受信し、出力するＴＶ等の受信装置のデータ処理部が、緊急情報の視聴実績情報を記録した緊急情報視聴実績レポートを生成し、生成した緊急情報視聴実績レポートを、管理サーバ等に送信する。データ処理部は、受信装置が出力した緊急情報の識別子と、緊急情報の出力時間情報を記録した緊急情報視聴実績レポートを、ＣＤＭ（Ｃｏｎｓｕｍｐｔｉｏｎ  Ｄａｔａ  Ｍｅｓｓａｇｅ）フォーマットに従って生成する。ＣＤＭには、緊急情報の出力時間情報の他、受信装置の位置情報、緊急情報の送信元情報等が記録される。
2017038494.tif 000002
【特許請求の範囲】
【請求項１】
緊急情報を受信し、出力する通信装置であり、
緊急情報の視聴実績情報を記録した緊急情報視聴実績レポートを生成するデータ処理部と、
生成した前記緊急情報視聴実績レポートを送信する通信部を有し、
前記データ処理部は、
通信装置が出力した緊急情報の識別子と、緊急情報の出力時間情報を記録した緊急情報視聴実績レポートを生成する通信装置。
【請求項２】
前記データ処理部は、
前記緊急情報視聴実績レポートを、ＣＤＭ（Ｃｏｎｓｕｍｐｔｉｏｎ  Ｄａｔａ  Ｍｅｓｓａｇｅ）フォーマットに従って生成する請求項１に記載の通信装置。
【請求項３】
前記データ処理部は、
前記通信装置における前記緊急情報の出力開始時間と、出力終了時間を記録した緊急情報視聴実績レポートを生成する請求項１に記載の通信装置。
【請求項４】
前記データ処理部は、
前記通信装置において出力した前記緊急情報の送信元情報を記録した緊急情報視聴実績レポートを生成する請求項１に記載の通信装置。
【請求項５】
前記データ処理部は、
前記通信装置における前記緊急情報の出力時の前記通信装置の位置情報を記録した緊急情報視聴実績レポートを生成する請求項１に記載の通信装置。
【請求項６】
前記データ処理部は、
（ａ）前記通信装置において出力した前記緊急情報のタイプ情報、
（ｂ）前記通信装置において出力した前記緊急情報のメッセージデータを含むイベント情報、
（ｃ）前記通信装置において出力した前記緊急情報の重要度情報、
（ｄ）前記通信装置において出力した前記緊急情報の緊急度情報、
上記（ａ）〜（ｄ）の少なくともいずれかの情報を記録した緊急情報視聴実績レポートを生成する請求項１に記載の通信装置。
【請求項７】
前記データ処理部は、
出力用の緊急情報の他、該緊急情報に関する属性情報を含むＣＡＰ（Ｃｏｍｍｏｎ  Ａｌｅｒｔｉｎｇ  Ｐｒｏｔｏｃｏｌ）フォーマットに従ったＣＡＰメッセージを受信し、該ＣＡＰメッセージの解析結果に応じて緊急情報の出力処理を実行する請求項１に記載の通信装置。
【請求項８】
前記データ処理部は、
前記ＣＡＰメッセージ内に記録された情報を利用して、前記緊急情報視聴実績レポートを生成する請求項７に記載の通信装置。
【請求項９】
前記データ処理部は、
出力用の緊急情報の他、該緊急情報の出力制御プログラムを含む緊急情報出力アプリケーションを受信し、該緊急情報出力アプリケーションを実行して緊急情報の出力処理を実行する請求項１に記載の通信装置。
【請求項１０】
前記緊急情報出力アプリケーションは、前記緊急情報視聴実績レポートを生成するプログラム、または、記緊急情報視聴実績レポートを生成するために必要となるデータを取得するためのプログラムを含む請求項９に記載の通信装置。
【請求項１１】
前記データ処理部は、
シグナリングデータとして送信される緊急情報視聴実績レポート送信情報を受信し、受信した緊急情報視聴実績レポート送信情報を参照して、前記緊急情報視聴実績レポートの送信先アドレス、および送信タイミング情報を取得し、取得情報に従って緊急情報視聴実績レポートの送信処理を実行する請求項１に記載の通信装置。
【請求項１２】
緊急情報受信装置の送信する緊急情報視聴実績レポートを受信する通信部と、
前記緊急情報視聴実績レポートの解析処理を実行するデータ処理部を有する通信装置。
【請求項１３】
前記緊急情報視聴実績レポートは、ＣＤＭ（Ｃｏｎｓｕｍｐｔｉｏｎ  Ｄａｔａ  Ｍｅｓｓａｇｅ）フォーマットに従ったデータである請求項１２に記載の通信装置。
【請求項１４】
前記緊急情報視聴実績レポートは、
前記緊急情報受信装置における前記緊急情報の出力開始時間と、出力終了時間を記録した緊急情報視聴実績レポートである請求項１２に記載の通信装置。
【請求項１５】
前記緊急情報視聴実績レポートは、
（ａ）前記緊急情報受信装置において出力した前記緊急情報の送信元情報、
（ｂ）前記緊急情報受信装置における前記緊急情報の出力時の前記通信装置の位置情報、
（ｃ）前記緊急情報受信装置において出力した前記緊急情報のタイプ情報、
（ｄ）前記緊急情報受信装置において出力した前記緊急情報のメッセージデータを含むイベント情報、
（ｅ）前記緊急情報受信装置において出力した前記緊急情報の重要度情報、
（ｆ）前記緊急情報受信装置において出力した前記緊急情報の緊急度情報、
上記（ａ）〜（ｆ）の少なくともいずれかの情報を記録した緊急情報視聴実績レポートである請求項１２に記載の通信装置。
【請求項１６】
前記緊急情報視聴実績レポートは、
前記緊急情報受信装置の受信した緊急情報通信用フォーマットデータであるＣＡＰ（Ｃｏｍｍｏｎ  Ａｌｅｒｔｉｎｇ  Ｐｒｏｔｏｃｏｌ）フォーマットデータに記録されたデータを含む請求項１２に記載の通信装置。
【請求項１７】
緊急情報出力アプリケーションを生成するデータ処理部と、
前記緊急情報出力アプリケーションを受信装置に送信する通信部を有し、
前記緊急情報出力アプリケーションは、
前記受信装置において出力する緊急情報の他、該緊急情報の出力制御プログラム、および、前記受信装置における緊急情報視聴実績レポートを生成するプログラムを含むアプリケーションである通信装置。
【請求項１８】
緊急情報を受信し、出力する通信装置において実行するデータ処理方法であり、
データ処理部が、緊急情報の視聴実績情報を記録した緊急情報視聴実績レポートを生成し、
通信部が、生成した前記緊急情報視聴実績レポートを送信する処理を実行し、
前記データ処理部は、
通信装置が出力した緊急情報の識別子と、緊急情報の出力時間情報を記録した緊急情報視聴実績レポートを生成するデータ処理方法。
【請求項１９】
緊急情報受信装置から、緊急情報視聴実績レポートを受信する通信装置において実行するデータ処理方法であり、
通信部が、前記緊急情報受信装置が送信する緊急情報視聴実績レポートを受信し、
データ処理部が、前記緊急情報視聴実績レポートの解析処理を実行するデータ処理方法。
【請求項２０】
緊急情報の送信処理を実行する通信装置において実行するデータ処理方法であり、
データ処理部が、緊急情報出力アプリケーションを生成し、
通信部が、前記緊急情報出力アプリケーションを受信装置に送信する処理を実行し、
前記緊急情報出力アプリケーションは、
前記受信装置において出力する緊急情報の他、該緊急情報の出力制御プログラム、および、前記受信装置における緊急情報視聴実績レポートを生成するプログラムを含むアプリケーションであるデータ処理方法。
【発明の詳細な説明】
【技術分野】
【０００１】
本開示は、通信装置、およびデータ処理方法に関する。さらに詳細には例えば放送波やネットワークを介した緊急情報の送受信処理や、緊急情報が受信装置において出力されたか否かを確認可能とするためのレポート送受信処理等を行う通信装置、および通信データに関するデータ処理方法に関する。
【背景技術】
【０００２】
米国では、ＥＡＳ（Ｅｍｅｒｇｅｎｃｙ  Ａｌｅｒｔ  Ｓｙｓｔｅｍ）と呼ばれる緊急情報通知システムが整備されており、このＥＡＳを利用して、様々な緊急情報、例えば気象災害情報や、テロ情報、その他の緊急避難情報などをいち早く通知することを可能としている。
なお、ＥＡＳを利用して通知される緊急情報には、例えば大統領からのメッセージ等、国家レベルの通知事項や、州、あるいは地方政府レベルのローカルな通知事項など、様々な異なるレベルの緊急情報がある。【０００３】
この緊急情報通知システム（ＥＡＳ）の信頼性を保証するため、各レベル単位でのテストを行うことが義務づけられている。
例えば、州や郡レベルでのテストは、週単位、あるいは月単位で行われる。
また、２０１１年１１月９日には国家レベルのテストとして、全米（Ｎａｔｉｏｎ  Ｗｉｄｅ）でのテストが実施された。
この緊急情報通知システム（ＥＡＳ）のテストは、米国連邦通信委員会（ＦＣＣ：Ｆｅｄｅｒａｌ  Ｃｏｍｍｕｎｉｃａｔｉｏｎｓ  Ｃｏｍｍｓｉｏｎ）の規制で規定されている。【０００４】
しかし、現状の規定に従った緊急情報通知システム（ＥＡＳ）のテストは、現実の緊急情報のエンドポイントとなるユーザ端末、例えば各個人の所有するテレビ（ＴＶ）まで緊急情報が確実に通知されたことを確認する構成とはなっていない。
現状の規定に従った通信テストは、ユーザ端末まで緊急情報信号を配信することなく、ユーザ端末に対するデータ配信を行う予定の放送局まで緊急信号が配信されたか否かを確認するテストとなっている。【０００５】
現在、放送局やその他のコンテンツサーバ等の送信装置から、テレビ、ＰＣ、携帯端末等の受信装置に対して、放送波等による一方向通信、あるいは、インターネット等のネットワークを介した双方向通信、一方向通信を用いて放送番組等のコンテンツを送受信するシステムについての開発や規格化が、盛んに進められている。
なお、放送波およびネットワークを介したデータ配信を実現するための技術を開示した従来技術として、例えば特許文献１（特開２０１４−０５７２２７号公報）がある。【０００６】
米国における放送波およびネットワークを介したデータ配信システムに関する規格として、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）２．０がある。さらに、現在、ＡＴＳＣ３．０の規格化が進行中である。
ＡＴＳＣ３．０では、ＡＴＳＣ３．０放送受信処理を実行するＡＴＳＣ３．０準拠物理層（ＡＴＳＣ−ＰＨＹ）やミドルウェアを実装したＴＶ等の受信装置が、ＡＴＳＣ放送対応のＡＶセグメントや、制御情報を格納したシグナリングデータを受信して、シグナリングデータによる様々な制御に基づく放送コンテンツの再生を実現する構成を検討している。【０００７】
具体的には、例えばシグナリングデータによる制御によって、インターネット等で利用されているアプリケーションプログラム、いわゆるクライアントアプリケーションをそのまま利用した放送コンテンツの出力処理や、放送波等によって提供される様々なアプリケーションを利用したデータ処理を可能とした構成を検討している。【０００８】
規格化が進んでいるＡＴＳＣ３．０では、次世代の緊急情報通知システムである統合公衆警報システム（ＩＰＡＷＳ：Ｉｎｔｅｇｒａｔｅｄ  Ｐｕｂｌｉｃ  Ａｌｅｒｔ  ａｎｄ  Ｗａｒｎｉｎｇ  Ｓｙｓｔｅｍ）の使用を前提としている。【０００９】
この統合公衆警報システム（ＩＰＡＷＳ）は、これまでのように放送局がユーザ端末（ＴＶ）等に一斉に緊急情報を配信し、すべてのユーザ端末に同一の緊急情報を出力させるのではなく、緊急情報伝送のためのＣＡＰ（Ｃｏｍｍｏｎ  Ａｌｅｒｔｉｎｇ  Ｐｒｏｔｏｃｏｌ）フォーマットに従ったデータファイル、あるいはそれに相当するファイルやアプリケーションをユーザ端末（ＴＶ等）に送信し、ユーザ端末側でデータ解析を行い、必要な情報を選択して出力することを可能とした構成となっている。【００１０】
このＣＡＰフォーマットに従ったデータファイルであるＣＡＰメッセージには、受信装置において出力する緊急メッセージのみならず、緊急情報の様々な属性情報、例えば、緊急情報のカテゴリ、緊急情報の緊急度や発信元情報、緊急情報の通知が必要な地域情報等、様々な緊急情報に関する付加情報が付与されている。【００１１】
ＣＡＰメッセージを受信したユーザ端末は、受信したＣＡＰメッセージを解析して、例えば緊急情報のカテゴリや緊急度、あるいは、ユーザ端末の現在位置等に応じて必要な情報を選択してユーザ端末に出力（表示）することが可能となる。【００１２】
このようなＣＡＰメッセージを利用した場合、ユーザ端末において確実に緊急情報が出力されているか否かを確認することが必要となる。
従って、現状の規定に従った緊急情報通知システム（ＥＡＳ）のテスト、すなわち放送局をエンドポイントとしたテストでは、ユーザ端末において確実に緊急情報が出力されるか否かは確認できず、緊急情報の通知信頼度の確認テストとしては十分なものとは言えない。
【先行技術文献】
【特許文献】
【００１３】
【特許文献１】特開２０１４−０５７２２７号公報
【発明の概要】
【発明が解決しようとする課題】
【００１４】
本開示は、例えば上記問題点に鑑みてなされたものであり、ユーザ端末等、実際の緊急情報のエンドポイントにおいて確実に緊急情報が出力されたか否かを確認可能とする通信装置、およびデータ処理方法を提供することを目的とする。
【課題を解決するための手段】
【００１５】
本開示の第１の側面は、
緊急情報を受信し、出力する通信装置であり、
緊急情報の視聴実績情報を記録した緊急情報視聴実績レポートを生成するデータ処理部と、
生成した前記緊急情報視聴実績レポートを送信する通信部を有し、
前記データ処理部は、
通信装置が出力した緊急情報の識別子と、緊急情報の出力時間情報を記録した緊急情報視聴実績レポートを生成する通信装置にある。【００１６】
さらに、本開示の第２の側面は、
緊急情報受信装置の送信する緊急情報視聴実績レポートを受信する通信部と、
前記緊急情報視聴実績レポートの解析処理を実行するデータ処理部を有する通信装置にある。【００１７】
さらに、本開示の第３の側面は、
緊急情報出力アプリケーションを生成するデータ処理部と、
前記緊急情報出力アプリケーションを受信装置に送信する通信部を有し、
前記緊急情報出力アプリケーションは、
前記受信装置において出力する緊急情報の他、該緊急情報の出力制御プログラム、および、前記受信装置における緊急情報視聴実績レポートを生成するプログラムを含むアプリケーションである通信装置にある。【００１８】
さらに、本開示の第４の側面は、
緊急情報を受信し、出力する通信装置において実行するデータ処理方法であり、
データ処理部が、緊急情報の視聴実績情報を記録した緊急情報視聴実績レポートを生成し、
通信部が、生成した前記緊急情報視聴実績レポートを送信する処理を実行し、
前記データ処理部は、
通信装置が出力した緊急情報の識別子と、緊急情報の出力時間情報を記録した緊急情報視聴実績レポートを生成するデータ処理方法にある。【００１９】
さらに、本開示の第５の側面は、
緊急情報受信装置から、緊急情報視聴実績レポートを受信する通信装置において実行するデータ処理方法であり、
通信部が、前記緊急情報受信装置が送信する緊急情報視聴実績レポートを受信し、
データ処理部が、前記緊急情報視聴実績レポートの解析処理を実行するデータ処理方法にある。【００２０】
さらに、本開示の第６の側面は、
緊急情報の送信処理を実行する通信装置において実行するデータ処理方法であり、
データ処理部が、緊急情報出力アプリケーションを生成し、
通信部が、前記緊急情報出力アプリケーションを受信装置に送信する処理を実行し、
前記緊急情報出力アプリケーションは、
前記受信装置において出力する緊急情報の他、該緊急情報の出力制御プログラム、および、前記受信装置における緊急情報視聴実績レポートを生成するプログラムを含むアプリケーションであるデータ処理方法にある。【００２１】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２２】
本開示の一実施例の構成によれば、緊急情報のエンドポイントであるＴＶ等の受信装置における緊急情報の視聴実績を確認可能とした構成が実現される。
具体的には、緊急情報を受信し、出力するＴＶ等の受信装置のデータ処理部が、緊急情報の視聴実績情報を記録した緊急情報視聴実績レポートを生成し、生成した緊急情報視聴実績レポートを、管理サーバ等に送信する。データ処理部は、受信装置が出力した緊急情報の識別子と、緊急情報の出力時間情報を記録した緊急情報視聴実績レポートを、ＣＤＭ（Ｃｏｎｓｕｍｐｔｉｏｎ  Ｄａｔａ  Ｍｅｓｓａｇｅ）フォーマットに従って生成する。ＣＤＭには、緊急情報の出力時間情報の他、受信装置の位置情報、緊急情報の送信元情報等が記録される。
本構成により、緊急情報のエンドポイントであるＴＶ等の受信装置における緊急情報の視聴実績を確認可能とした構成が実現される。
なお、本明細書に記載された効果はあくまで例示であって限定されるものではなく、また付加的な効果があってもよい。
【図面の簡単な説明】
【００２３】
【図１】緊急情報通信システムの一構成例について説明する図である。
【図２】緊急情報通信システムにおけるテストの実行例について説明する図である。
【図３】次世代型緊急情報通信システムの一構成例について説明する図である。
【図４】ＣＤＭ（Ｃｏｎｓｕｍｐｔｉｏｎ  Ｄａｔａ  Ｍｅｓｓａｇｅ）を適用した通信システムの一構成例について説明する図である。
【図５】ＣＤＭ（Ｃｏｎｓｕｍｐｔｉｏｎ  Ｄａｔａ  Ｍｅｓｓａｇｅ）のフォーマットについて説明する図である。
【図６】送信装置の送信データについて説明する図である。
【図７】ＣＤＭに記録される緊急情報視聴実績データについて説明する図である。
【図８】ＣＤＭに記録される緊急情報視聴実績データについて説明する図である。
【図９】ＣＤＭに記録される緊急情報視聴実績データについて説明する図である。
【図１０】緊急情報の送受信、出力処理、および緊急情報視聴実績データを含むＣＤＭの生成と送信処理について説明する図である。
【図１１】緊急情報を受信、出力する受信装置における処理シーケンスについて説明するフローチャートを示す図である。
【図１２】緊急情報を受信、出力する受信装置の生成したＣＤＭを受信し解析する視聴情報解析装置の処理シーケンスについて説明するフローチャートを示す図である。
【図１３】送信装置、受信装置、視聴情報解析装置の構成例について説明する図である。
【図１４】送信装置、受信装置、視聴情報解析装置のハードウェア構成例について説明する図である。
【発明を実施するための形態】
【００２４】
以下、図面を参照しながら本開示の通信装置、およびデータ処理方法の詳細について説明する。なお、説明は以下の項目に従って行なう。
１．緊急情報通知システムの概要について
２．本開示の緊急情報視聴実績の確認処理構成について
２−１．通信システムの構成例とＣＤＭについて
２−２．ＣＤＭを緊急情報の視聴実績記録レポートとして利用した処理例について
３．送信装置の送信データと、受信装置のデータ受信、データ出力処理例について
４．緊急情報を受信して出力する受信装置における処理シーケンスについて
５．受信装置から送信されるＣＤＭを受信し、解析する視聴情報解析装置の処理について
６．送信装置、受信装置、視聴情報解析装置の構成例について
７．本開示の構成のまとめ
【００２５】
［１．緊急情報通知システムの概要について］
まず、図１以下を参照して緊急情報通知システムの概要について説明する。
先に説明したように、米国では、ＥＡＳ（Ｅｍｅｒｇｅｎｃｙ  Ａｌｅｒｔ  Ｓｙｓｔｅｍ）と呼ばれる緊急情報通知システムが整備されており、このＥＡＳを利用して、様々な緊急情報、例えば気象災害情報や、テロ情報、その他の緊急避難情報などをいち早く通知することを可能としている。
【００２６】
図１は、緊急情報通知システムの通信構成例を示す図である。
なお、緊急情報には、国家レベルの通知事項や、州、あるいは地方政府レベルのローカルな通知事項など、様々な異なるレベルの緊急情報がある。
図１には、以下の各通信装置、受信装置、および視聴者を示している。
（ａ）連邦機関レベル通信装置１１
（ｂ）州政府レベル通信装置１２
（ｃ）地方政府レベル通信装置１３
（ｄ）放送局１４
（ｅ）受信装置１５
（ｆ）視聴者１６
【００２７】
（ａ）連邦機関レベル通信装置１１は、米国の国家レベルのトップの通信装置である。国家レベルの緊急情報は、この連邦機関レベル通信装置１１を起点（Ｐｒｉｍａｒｙ  Ｅｎｔｒｙ  Ｐｏｉｎｔ）として緊急情報が配信される。
すなわち、連邦機関レベル通信装置１１は、プライマリエントリポイント（ＰＥＰ：Ｐｒｉｍａｒｙ  Ｅｎｔｒｙ  Ｐｏｉｎｔ）として機能する。
【００２８】
この国家レベルの緊急情報は、（ａ）連邦機関レベル通信装置１１から、（ｂ）州政府レベル通信装置１２、（ｃ）地方政府レベル通信装置１３、（ｄ）放送局１４を介して、（ｅ）受信装置１５に送信される。
緊急情報は、受信装置１５において出力され、（ｆ）視聴者１６が視聴することになる。
【００２９】
これらの通信処理において、
（ｂ）州政府レベル通信装置１２
（ｃ）地方政府レベル通信装置１３
これらの通信装置は、緊急情報の転送装置（リレー装置）として機能する。
すなわち、（ｂ）州政府レベル通信装置１２は、州レベル転送装置（ＳＲ：Ｓｔａｔｅ  Ｒｅｌａｙ）として機能する。
（ｃ）地方政府レベル通信装置１３は、地方レベル転送装置（ＬＲ：Ｌｏｃａｌ  Ｒｅｌａｙ）として機能する。
【００３０】
また、例えば、州レベルの緊急情報は、（ｂ）州政府レベル通信装置１２が緊急情報の発信元となる。
この場合、（ｂ）州政府レベル通信装置１２が、緊急情報の起点となり、州プライマリ（ＳＰ：Ｓｔａｔｅ  Ｐｒｉｍａｒｙ）として機能する。
【００３１】
また、例えば、地方レベルの緊急情報は、（ｃ）地方政府レベル通信装置１３が緊急情報の発信元となる。
この場合、（ｃ）地方政府レベル通信装置１３が、緊急情報の起点となり、地方プライマリ（ＬＰ：Ｌｏｃａｌ  Ｐｒｉｍａｒｙ）として機能する。
【００３２】
このように、緊急情報の通信処理は、緊急情報が国家全体に対するものか、州単位のものか、地方単位のものかによって、
（ａ）連邦機関レベル通信装置１１
（ｂ）州政府レベル通信装置１２
（ｃ）地方政府レベル通信装置１３
上記の各通信装置のいずれかを起点として、その起点以下の通信装置を転送（リレー）通信装置として利用して、エンドポイントである各視聴者の受信装置（ユーザ端末（ＴＶ等））１５に送信される。
【００３３】
この緊急情報通知システム（ＥＡＳ）の信頼性を保証するために、各レベル単位でのテストを行うことが義務づけられている。
この緊急情報通知システム（ＥＡＳ）のテストは、米国連邦通信委員会（ＦＣＣ：Ｆｅｄｅｒａｌ  Ｃｏｍｍｕｎｉｃａｔｉｏｎｓ  Ｃｏｍｍｓｉｏｎ）の規制で規定されている。
【００３４】
図２は、現行の規定に従った緊急情報通知システム（ＥＡＳ）のテストの概要について説明する図である。
図２に示すように、現行の規定に従った緊急情報通知システム（ＥＡＳ）のテストは、
（Ａ）連邦機関レベル通信装置１１を起点として、放送局１４までの通信処理が確実に行われたかを確認する国家レベル通信テスト
（Ｂ）州政府レベル通信装置１２を起点として、放送局１４までの通信処理が確実に行われたかを確認する州レベル通信テスト
（Ｃ）地方政府レベル通信装置１３を起点として、放送局１４までの通信処理が確実に行われたかを確認する地方レベル通信テスト
これらの３種類のテストを行なうことがよう規定されている。
【００３５】
これらのテストは、いずれも、現実の緊急情報のエンドポイントである受信装置１５、すなわち例えば各個人の所有するテレビ（ＴＶ）まで、緊急情報が確実に通知されたことを確認する設定となっていない。
【００３６】
現状のテスト規定では、ユーザ端末まで緊急情報のテスト信号を配信することなく、ユーザ端末に対するデータ配信を実行する放送局まで、テスト信号が配信されたか否かの確認を行うことを規定しているのみである。
【００３７】
前述したように、米国における放送波およびネットワークを介したデータ配信システムに関する規格であるＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）３．０では、次世代の緊急情報通知システムである統合公衆警報システム（ＩＰＡＷＳ：Ｉｎｔｅｇｒａｔｅｄ  Ｐｕｂｌｉｃ  Ａｌｅｒｔ  ａｎｄ  Ｗａｒｎｉｎｇ  Ｓｙｓｔｅｍ）の使用を前提としている。
【００３８】
図３は、統合公衆警報システム（ＩＰＡＷＳ）１８を利用した通信構成を示す図である。
国家レベルの緊急情報の発信元となる連邦機関レベル通信装置１１、
州レベルの緊急情報の発信元となる州政府レベル通信装置１２、
地方レベルの緊急情報の発信元となる地方政府レベル通信装置１３、
これらのいずれの通信装置も、統合公衆警報システム（ＩＰＡＷＳ）１８に従って、緊急情報伝送のためのＣＡＰ（Ｃｏｍｍｏｎ  Ａｌｅｒｔｉｎｇ  Ｐｒｏｔｏｃｏｌ）フォーマットに従ったデータファイル、あるいはそれに相当するファイルを、様々な受信装置１５に送信する構成としている。
【００３９】
図３には受信装置１５の例として、ＴＶ１５ａ、モバイル端末１５ｂ、公衆サイネージ装置１５ｃを示しているが、これらの他にも様々な異なる種類の受信装置に緊急情報を格納したＣＡＰメッセージが送信されることになる。
【００４０】
前述したように、ＣＡＰメッセージには緊急情報の様々な属性情報、例えば、緊急情報のカテゴリ、緊急情報の緊急度や発信元情報、緊急情報の通知が必要な地域情報等、様々な緊急情報名に関する詳細な情報が付与されている。
このＣＡＰメッセージを受信した受信装置１５ａ〜ｃは、受信ＣＡＰメッセージを解析して、例えば緊急情報のカテゴリや緊急度、あるいは、受信装置１５の現在位置等に応じて必要な情報を選択して出力（表示）する。
【００４１】
このようなＣＡＰメッセージを利用した場合、ユーザ端末において確実に緊急情報が選択表示されているか否かを確認することが必要となる。
従って、現状の規定に従った緊急情報通知システム（ＥＡＳ）のテスト、すなわち放送局をエンドポイントとしたテストでは、ユーザ端末において確実に緊急情報が出力されたか否かの確認が行なわれないことになり、緊急情報の通知信頼度を確認するテストとしては十分なものとは言えない。
【００４２】
［２．本開示の緊急情報視聴実績の確認処理構成について］
以下では、実際の緊急情報のエンドポイントであるユーザ端末等の受信装置まで確実に緊急情報が送信され、受信装置において緊急情報が出力されたこと、さらに、受信装置において出力された緊急情報の出力状況等を確認可能とした構成について説明する。
【００４３】
［２−１．通信システムの構成例とＣＤＭについて］
以下に説明する本開示の緊急情報配信確認構成においては、現在、米国において視聴率調査等において利用されているＣＤＭ（Ｃｏｎｓｕｍｐｔｉｏｎ  Ｄａｔａ  Ｍｅｓｓａｇｅ）を利用して、受信装置３０における緊急情報の視聴実績を確認可能としている。
【００４４】
まず、図４以下を参照して、ＣＤＭの利用構成について説明する。
図４は、各ユーザのＴＶ等の受信装置３０が、放送局等の放送サーバ２１等によって構成される送信装置２０から送信される放送コンテンツや広告コンテンツに関する視聴情報をまとめたレポートデータ、すなわちＣＤＭ（Ｃｏｎｓｕｍｐｔｉｏｎ  Ｄａｔａ  Ｍｅｓｓａｇｅ）を生成して、視聴解析サーバ４１等の視聴解析装置４０に送信する通信システムを示している。
【００４５】
前述した米国における放送波およびネットワークを介したデータ配信システムに関する規格であるＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）２．０や、現在、規格化が進められているＡＴＳＣ３．０には、ＴＶ等の受信装置における放送コンテンツの視聴履歴収集処理（Ｕｓａｇｅ  Ｒｅｐｏｒｔｉｎｇ）に関する規格が含まれている。
【００４６】
具体的には、各ユーザのＴＶ等、放送サービスの受信装置は、放送サービスの視聴実績に関するレポートデータであるＣＤＭ（Ｃｏｎｓｕｍｐｔｉｏｎ  Ｄａｔａ  Ｍｅｓｓａｇｅ）を生成する。受信装置は、生成したＣＤＭを視聴情報解析装置である視聴情報解析サーバ（Ｓｅｒｖｉｃｅ  Ｕｓａｇｅ  Ｄａｔａ  Ｓｅｒｖｅｒ）に送付する手順やＣＤＭフォーマットを規定している。
【００４７】
例えば、図４に示すように、放送サーバ（放送局）２１等の送信装置２０は、番組コンテンツや、広告コンテンツ等の様々な放送コンテンツを、放送波等を利用して送信する。
【００４８】
ＴＶ３１等のユーザ端末である受信装置３０は、放送波等の通信網を介して送信される放送コンテンツを受信し再生する。
この時、受信装置３０は、予め規定されたＣＤＭ作成アルゴリズムを実行し、視聴実績に基づくレポートデータであるＣＤＭ（Ｃｏｎｓｕｍｐｔｉｏｎ  Ｄａｔａ  Ｍｅｓｓａｇｅ）ファイルを作成し、作成したＣＤＭファイルを視聴情報解析装置４０、具体的には、視聴情報解析サーバ（Ｓｅｒｖｉｃｅ  Ｕｓａｇｅ  Ｄａｔａ  Ｓｅｒｖｅｒ）４０に送付する。
【００４９】
現行のＣＤＭのフォーマットについて、図５を参照して説明する。
現行のＣＤＭフォーマットは図５に示すように、
（１）視聴チャンネル番号、
（２）視聴開始時間
（３）視聴終了時間
例えばこれらの情報の記録領域を持つ。
【００５０】
なお、受信装置３０においてコンテンツ表示を実行しているチャンネル番号は、例えば受信装置３０側で設定した特定のチャンネルである場合があり、本来のコンテンツの放送物理チャンネル番号と一致しない場合がある。ＣＤＭに記録されるチャンネル番号は、ＣＤＭ送付先である図４に示す視聴情報解析装置４０において、視聴対象コンテンツを特定可能なチャンネル番号とする。このような、視聴対象コンテンツを特定可能なチャンネル番号は、バーチャル・チャンネル番号（Ｖｉｒｔｕａｌ  Ｃｈａｎｎｅｌ  Ｎｕｍｂｅｒ）と呼ばれる。
【００５１】
ユーザ端末であるＴＶ等の受信装置３０は、予め記憶部に格納されたＣＤＭ作成プログラムを実行して、受信装置３０における受信チャンネル番号や視聴開始、終了時間情報を記録した図５に示すフォーマットに従ったＣＤＭファイルを作成し、作成したＣＤＭファイルを図４に示す視聴情報解析装置４０に送信する。
【００５２】
なお、放送局等の送信装置２０は、受信装置３０に対するコンテンツ送信を、例えばアダプティブ（適応型）ストリーミング技術の規格であるＭＰＥＧ−ＤＡＳＨ規格に従って実行する。
ＭＰＥＧ−ＤＡＳＨ規格には、以下の２つの規格が含まれる。
（ａ）動画や音声ファイルの管理情報であるメタデータを記述するためのマニフェスト・ファイル（ＭＰＤ：Ｍｅｄｉａ  Ｐｒｅｓｅｎｔａｔｉｏｎ  Ｄｅｓｃｒｉｐｔｉｏｎ）に関する規格、
（ｂ）動画コンテンツ伝送用のファイル・フォーマット（セグメント・フォーマット）に関する規格、
送信装置２０から、受信装置３０に対するコンテンツ配信は、上記のＭＰＥＧ−ＤＡＳＨ規格に従って実行する。
【００５３】
送信装置２０は、コンテンツデータを符号化し、符号化データおよび符号化データのメタデータを含むデータファイルを生成する。符号化処理は、例えばＭＰＥＧにおいて規定されるＭＰ４ファイルフォーマットに従って行われる。なお、送信装置２０がＭＰ４形式のデータファイルを生成する場合の符号化データのファイルは「ｍｄａｔ」、メタデータは「ｍｏｏｖ」や「ｍｏｏｆ」等と呼ばれる。
【００５４】
送信装置２０の送信データの例について図６を参照して説明する。
ＭＰＥＧ−ＤＡＳＨ規格に従ってデータ送信を実行する送信装置２０は、図６に示すように、大きく分けて以下の複数種類のデータの送信を行う。
（ａ）画像データ
（ｂ）音声データ
（ｃ）シグナリングデータ
【００５５】
画像データ、音声データは、例えば分割データとしてのＡＶセグメントとして送信される。これらは、受信装置３０において再生する画像（Ｖｉｄｅｏ）や、音声（Ａｕｄｉｏ）データ、すなわち例えば放送局の提供する番組コンテンツ等によって構成される。例えば、上述したＭＰ４符号化データ（ｍｄａｔ）や、メタデータ（ｍｏｏｖ，ｍｏｏｆ）によって構成される。なお、ＡＶセグメントは、ＤＡＳＨセグメントとも呼ばれる。
【００５６】
一方、シグナリングデータは、例えば、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
【００５７】
受信装置３０は、放送波等を経由して受信する画像および音声データを再生する場合、同じく放送波等を経由して受信するシグナリングデータを先行して受信し、シグナリングデータに記録されたアクセス情報や制御情報等を利用して、目的のコンテンツを格納したＡＶセグメントを取得し、再生処理を行なう。
シグナリングデータは、例えばＸＭＬ（Ｅｘｔｅｎｓｉｂｌｅ  Ｍａｒｋｕｐ  Ｌａｎｇｕａｇｅ）形式のデータとして送信装置２０から送信される。
【００５８】
シグナリングデータは、随時、繰り返し送信される。例えば１００ｍｓｅｃ毎など、頻繁に繰り返し送信される。
これは、受信装置（クライアント）が、いつでも、即座にシグナリングデータを取得することを可能とするためである。
クライアント（受信装置）は、随時、受信可能なシグナリングデータに基づいて、必要な番組コンテンツのアクセス用アドレスの取得や、コーデック設定処理など、番組コンテンツの受信および再生に必要な処理を遅滞なく実行することが可能となる。
【００５９】
シグナリングデータには、上述した緊急情報、さらに、視聴実績レポートデータであるＣＤＭの送付先情報、例えば図４に示す視聴情報解析装置４０のアドレス（ＵＲＬ）や、その他、ＣＤＭに記録すべきデータであるチャンネル情報等のデータが含まれる。
【００６０】
受信装置３０は、放送波等を介して受信する放送コンテンツを視聴する場合、図６のステップＳ１１に示すように、シグナリングデータにより伝送されたＣＤＭ記録用データ（視聴チャンネル情報等）を取得して、先に図５を参照して説明したフォーマットに従ったＣＤＭを生成する。さらに、シグナリングデータにより伝送されたＣＤＭ送付先情報（例えばＵＲＬ等のアドレス）に対してＣＤＭを送信することができる。
【００６１】
［２−２．ＣＤＭを緊急情報の視聴実績記録レポートとして利用した処理例について］
次に、上述した受信装置における放送サービスの視聴実績に基づいて生成するレポートデータであるＣＤＭ（Ｃｏｎｓｕｍｐｔｉｏｎ  Ｄａｔａ  Ｍｅｓｓａｇｅ）を緊急情報の視聴実績記録レポートとして利用した処理例について説明する。
【００６２】
先に図５、図６を参照して説明したように、各ユーザのＴＶ等、放送サービスの受信装置は、放送サービスの視聴実績に基づいて、先に図５を参照して説明したフォーマットを有するＣＤＭ（Ｃｏｎｓｕｍｐｔｉｏｎ  Ｄａｔａ  Ｍｅｓｓａｇｅ）を生成し、生成したＣＤＭを視聴情報解析装置に送信する。
【００６３】
現行のＣＤＭのフォーマットは、先に図５を参照して説明したように、
（１）視聴チャンネル番号、
（２）視聴開始時間
（３）視聴終了時間
例えばこれらの情報の記録領域を持つ。
【００６４】
ユーザ端末であるＴＶ等の受信装置３０は、予め記憶部に格納されたＣＤＭ作成プログラムを実行して、受信装置３０における受信チャンネル番号や視聴開始、終了時間情報を記録した図５に示すフォーマットに従ったＣＤＭファイルを作成し、作成したＣＤＭファイルを図４に示す視聴情報解析装置４０に送信する。
【００６５】
以下に説明する実施例は、このＣＤＭフォーマットを拡張し、ユーザ端末であるＴＶ等の受信装置３０に緊急情報を出力した場合に、その緊急情報の出力実績情報をＣＤＭに記録可能としたものである。
受信装置３０は、緊急情報を受信して、受信装置３０に出力した場合、出力した緊急情報の識別子や、出力時間情報等をＣＤＭに記録し、緊急情報視聴実績データを記録したＣＤＭを生成して、管理サーバ、例えば図４に示す視聴情報解析装置４０に送信する。
【００６６】
視聴情報解析装置４０は、各受信装置から得られるＣＤＭを解析することで、各受信装置において、緊急情報が実際に出力されたこと、さらに出力された緊急情報の種類や時間を確認することが可能となる。すなわち、緊急情報が実際のエンドポイントである受信装置において確実に出力されたことを確実に確認することが可能となる。
【００６７】
ただし、現状のＣＤＭフォーマットには緊急情報に関する視聴履歴を記録するデータフィールドが設けられていない。
従って、緊急情報の視聴実績をＣＤＭに記録するためには、現行のＣＤＭフォーマットを変更する必要がある。
【００６８】
図７以下を参照して、現行のＣＤＭフォーマットを拡張し、緊急情報の視聴実績を記録可能とした新たなＣＤＭフォーマットの例について説明する。
図７は、拡張されたＣＤＭフォーマットの一部を示す図であり、緊急情報の視聴実績を記録するフィールドを持つＣＤＭフォーマットを示している。
【００６９】
図８は、図７に示すと同様の緊急情報視聴実績記録フィールドを持つＣＤＭフォーマットを示す図に対して、緊急情報視聴実績に関連する主要なデータフィールドの意味を追加して示した図である。
図８に示すように、新たなＣＤＭフォーマットには、例えば以下の緊急情報視聴実績データ記録フィールドが設定される。
【００７０】
（１）緊急情報識別子
（２）緊急情報送信元識別子
（３）緊急情報の出力開始時間
（４）緊急情報の出力終了時間
（５）受信装置の位置情報
（６）〜（８）緊急情報のステータス、タイプ、スコープ情報
（９）〜（１３）緊急情報のカテゴリ、イベント、緊急度、重要度、確実性情報
【００７１】
拡張ＣＤＭフォーマットには、例えば、これらの新たな緊急情報視聴実績データ記録フィールドが設定される。
【００７２】
なお、受信装置３０は、例えば、先に説明したＣＡＰ（Ｃｏｍｍｏｎ  Ａｌｅｒｔｉｎｇ  Ｐｒｏｔｏｃｏｌ）フォーマットに従った緊急情報を受信し、ＣＡＰフォーマットデータに記録された様々な緊急情報対応の属性情報や、制御情報に従って、必要に応じて受信装置３０に緊急情報を出力する。
【００７３】
ＣＡＰフォーマットデータには、緊急情報の識別子や、緊急度情報、出力の要請される地域情報等、様々な緊急情報対応の属性、制御情報が記録されている。
受信装置３０は、このＣＡＰフォーマットデータに記録された情報を解析して、解析結果に基づいて、受信装置３０に緊急情報を出力する。
受信装置３０は、ＣＡＰメッセージに基づいて、例えば出力の必要な緊急情報を選択するといった処理が可能であり、選択された緊急情報のみを受信装置３０に出力することも可能となる。
【００７４】
なお、ＣＡＰ解析処理を伴う緊急情報の出力制御アプリケーション（プログラム）は、放送局やその他の外部サーバから受信装置に提供される。
あるいは、予め受信装置３０の記憶部に格納されたアプリケーション（プログラム）を利用する構成としてもよい。
また、必要に応じて放送局やその他の外部サーバから更新プログラムも適宜、受信装置に提供される。
【００７５】
なお、放送局やその他の外部サーバ等の送信装置においてＣＡＰメッセージを解析し、ＣＡＰ解析結果に基づいて生成した緊急情報出力アプリケーションを受信装置に送信する構成としてもよい。
送信装置が受信装置に送信する緊急情報出力アプリケーションは、受信装置において出力する緊急情報メッセージの他、例えば、気象状況を示す天気図や、避難地域を示す地図情報等の様々な画像データ等の出力用データと、これらのデータの出力制御プログラムが含まれる。さらに、緊急情報視聴実績データとしてＣＤＭに記録する各種のＣＡＰデータも含まれる。
【００７６】
受信装置は、送信装置から受信するアプリケーションを実行することで、受信装置の表示部に緊急情報メッセージや、その他の緊急情報関連の画像データを表示することができる。
なお、送信装置が受信装置に提供するアプリケーションとしては、例えばブラウザ上で実行されるＪａｖａ（登録商標）スクリプトなどが利用可能である。
受信装置は、アプリケーションの実行によって生成される様々なコンテンツを、通常番組の出力に併せて、受信装置の表示部に表示することが可能となる。
【００７７】
受信装置３０は、さらに、図７、図８に示すＣＤＭフォーマットデータを生成して視聴解析装置４０に出力する処理を実行する。
受信装置３４０は、例えば受信装置３０に緊急情報を出力した際、緊急情報の出力状況を示す情報をログデータとして記録し、記録したログデータに基づいて、ＣＤＭフォーマットに従ったレポートデータ（ＣＤＭレポートデータ）を生成し、視聴解析装置４０に出力する処理を実行する。
【００７８】
受信装置３０は、ＣＤＭフォーマットに従ったＣＤＭ（レポートデータ）の作成、送信に必要な処理を実行するプログラムも、予め受信装置３０の記憶部に格納されている。あるいは、必要に応じて放送局やその他の外部サーバから受信装置に提供される。
また、必要に応じて放送局やその他の外部サーバから更新プログラムも適宜、受信装置に提供される。
【００７９】
なお、先に説明した緊急情報出力アプリケーション、すなわち、緊急情報メッセージや画像等の出力用データと、これらの出力制御を行うプログラムを含む緊急情報出力アプリケーションに、ＣＤＭ生成や出力処理を実行するＣＤＭ生成プログラムを含める構成としてもよい。
すなわち、送信装置は、緊急情報の出力制御プログラムとＣＤＭ生成プログラムを含むアプリケーションを受信装置に提供する。
【００８０】
この場合、受信装置は、送信装置から受信したアプリケーションを実行して緊急情報を出力（表示）し、さらに、このアプリケーションの実行により、出力緊急情報に応じた緊急情報出力状況を記録したＣＤＭを生成して、視聴状況解析装置に送信することができる。
【００８１】
なお、緊急情報出力アプリケーションと、ＣＤＭ生成アプリケーションを、異なる個別のアプリケーションとして、送信装置が、これらの個別アプリケーションを各々、受信装置に提供する構成としてもよい。
また、先に説明した緊急情報出力アプリケーションを、ＣＤＭ記録用の緊急情報視聴実績情報、例えばＣＡＰフォーマットに従ったデータを取得するプログラムやＡＰＩを含む構成とし、これらの機能を利用して取得したデータをＣＤＭ生成アプリケーションが利用してＣＤＭを生成する構成としてもよい。
【００８２】
図９を参照して、拡張されたＣＤＭフォーマットデータの各データフィールドに記録する情報について説明する。
（１）緊急情報識別子（ＭｅｓｓａｇｅＩＤ）
緊急情報識別子は、受信装置に出力された緊急情報の識別子である。
なお、この緊急情報識別子は、受信装置３０が受信したＣＡＰフォーマットに従った緊急情報の構成データ、すなわち、ＣＡＰフォーマットデータに記録されており、受信装置３０は、受信した緊急情報を格納したＣＡＰフォーマットデータから緊急情報識別子を取得して、取得した緊急情報識別子をＣＤＭフォーマットデータの緊急情報識別子記録フィールドに記録する。
【００８３】
（２）緊急情報送信元識別子（ＳｅｎｄｅｒＩＤ）
緊急情報送信元識別子は、受信装置に出力された緊急情報の送信元の識別子である。例えば、図１〜３に示す連邦機関レベル通信装置１１、州政府レベル通信装置１２、地方政府レベル通信装置１３、これらのいずれであるか、さらに、州政府レベル通信装置１２、地方政府レベル通信装置１３が送信元である場合は、どの州、またはどの地方の通信装置が送信元であるかを識別可能な識別子を記録する。
【００８４】
なお、この緊急情報送信元識別子も、受信装置３０が受信したＣＡＰフォーマットに従った緊急情報の構成データ、すなわち、ＣＡＰフォーマットデータに記録されており、受信装置３０は、受信した緊急情報を格納したＣＡＰフォーマットデータから緊急情報送信元識別子を取得して、取得した緊急情報送信元識別子をＣＤＭフォーマットデータの緊急情報送信元識別子記録フィールドに記録する。
【００８５】
（３）緊急情報の出力開始時間（ｓｔａｒｔＴｉｍｅ）
緊急情報の出力開始時間は、受信装置に緊急情報の出力が開始された時間である。
受信装置内部の時計、あるいは、外部から受信する時間情報を参照して、受信装置に緊急情報の出力が開始された時間を取得し、この時間情報を記録する。
【００８６】
（４）緊急情報の出力終了時間（ｅｎｄＴｉｍｅ）
緊急情報の出力終了時間は、受信装置における緊急情報の出力が終了した時間である。
受信装置内部の時計、あるいは、外部から受信する時間情報を参照して、受信装置に緊急情報の出力が開始された時間を取得し、この時間情報を記録する。
【００８７】
なお、本例では、緊急情報の出力開始時間と、終了時間を記録する構成としているが、例えば、緊急情報出力継続時間を記録する構成としてもよい。
また、出力開始時間、または出力終了時間と、出力継続時間を組み合わせて記録する設定としてもよい。
【００８８】
（５）受信装置の位置情報（Ｌｏｃａｔｉｏｎ）
受信装置の位置情報は、緊急情報を出力した際の受信装置の位置情報である。
具体的には郵便番号（Ｚｉｐ  Ｃｏｄｅ）、緯度経度情報、州番号（Ｃｏｕｎｔｙ  ＡＮＳＩ  ｎｕｍｂｅｒｔｓ）等を記録する。
これらの情報は、受信装置のメモリに記録された情報、あるいは、受信装置のＧＰＳ等の位置情報取得機能を用いて取得した位置情報を利用して記録する。
【００８９】
（６）緊急情報のステータス情報（ｓｔａｔｕｓ）
緊急情報のステータス情報は、緊急情報のステータスを示す情報である。
具体的には、例えば、アクチュアル（Ａｃｔｕａｌ）、エクササイズ（Ｅｘｅｒｃｉｓｅ）、システム（Ｓｙｓｔｅｍ）、テスト（Ｔｅｓｔ）、ドラフト（Ｄｒａｆｔ）等、受信装置が受信した緊急情報のステータスを示す情報を記録する。
【００９０】
（７）緊急情報のタイプ情報（ｍｓｇｔｙｐｅ）
緊急情報のタイプ情報は、緊急情報のメッセージタイプ、すなわち種類を示す情報である。
具体的には、例えば、警報（Ａｌｅｒｔ）、更新情報（Ｕｐｄａｔｅ）、無効通知（Ｃａｎｃｅｌ）、受信確認（Ａｃｋ）、エラー（Ｅｒｒｏｒ）等、受信装置が受信した緊急情報のタイプを示す情報を記録する。
【００９１】
（８）緊急情報のスコープ情報（ｓｃｏｐｅ）
緊急情報のスコープ情報は、緊急情報のスコープ、すなわち緊急情報の適用対象等のスコープを示す情報である。
具体的には、例えば、パブリック（Ｐｕｂｌｉｃ）、限定（Ｒｅｓｔｒｉｃｔｅｄ）、プライベート（ｐｒｉｖａｔｅ）等、受信装置が受信した緊急情報の適用対象等のスコープを示す情報を記録する。
【００９２】
（９）緊急情報のカテゴリ情報（ｃａｔｅｇｏｒｙ）
緊急情報のカテゴリ情報は、緊急情報のカテゴリ、すなわち緊急情報の種類等のカテゴリを示す情報である。
具体的には、例えば、地震（Ｇｅｏ）、気象（Ｍｅｔ）、安全性（Ｓａｆｅｔｙ）、セキュリティ（Ｓｅｃｕｒｉｔｙ）等、受信装置が受信した緊急情報の種類を示す情報を記録する。
【００９３】
（１０）緊急情報のイベント情報（ｅｖｅｎｔ）
緊急情報のイベント情報は、緊急情報のイベント、すなわち緊急情報の受信によって実行された事象等を示す情報である。
具体的には、例えば、警告メッセージの表示テキスト情報等を記録する。
【００９４】
（１１）緊急情報の緊急度情報（ｕｒｇｅｎｃｙ）
緊急情報の緊急度情報は、緊急情報の緊急度を示す情報である。
具体的には、例えば、緊急（ｉｍｍｅｄｉａｔｅ）、予測（Ｅｘｐｅｃｔｅｄ）、今後（Ｆｕｔｕｒｅ）、過去（Ｐａｓｔ）、不明（Ｕｎｋｎｏｗｎ）等、受信装置が受信した緊急情報の緊急度を記録する。
【００９５】
（１２）緊急情報の重要度情報ｓｅｖｅｒｉｔｙ（）
緊急情報の重要度情報は、緊急情報の重要度を示す情報である。
具体的には、例えば、極大（Ｅｘｔｒｅｍｅ）、大（Ｓｅｖｅｒｅ）、中（Ｍｏｄｅｒａｔｅ）、小（Ｍｉｎｏｒ）、不明（Ｕｎｋｎｏｗｎ）等、受信装置が受信した緊急情報の重要度を記録する。
【００９６】
（１３）緊急情報の確実性情報（ｃｅｒｔａｉｎｔｙ）
緊急情報の確実性情報は、緊急情報の確実性を示す情報である。
具体的には、例えば、確認済み（Ｏｂｓｅｒｖｅｄ）、確実度大（Ｌｉｋｅｌｙ）、確実度中（Ｐｏｓｓｉｂｌｅ）、確実度小（Ｕｎｌｉｋｅｌｙ）、不明（Ｕｎｋｎｏｗｎ）等、受信装置が受信した緊急情報の確実性を示す情報を記録する。
【００９７】
なお、上述した、（６）〜（８）緊急情報のステータス、タイプ、スコープ情報、および、（９）〜（１３）緊急情報のカテゴリ、イベント、緊急度、重要度、確実性情報、これらの情報は、いずれも、受信装置３０が受信したＣＡＰフォーマットに従った緊急情報の構成データ、すなわち、ＣＡＰフォーマットデータに記録されている情報である。
受信装置３０は、受信した緊急情報を格納したＣＡＰフォーマットデータから、上記の（６）〜（８）緊急情報のステータス、タイプ、スコープ情報、および（９）〜（１３）緊急情報のカテゴリ、イベント、緊急度、重要度、確実性情報、これらの情報を取得して、取得した情報をＣＤＭフォーマットデータの緊急情報の各情報記録フィールドに記録する。
【００９８】
［３．送信装置の送信データと、受信装置のデータ受信、データ出力処理例について］
次に、図１０を参照して、送信装置の送信データと、受信装置のデータ受信、データ出力処理例について説明する。
【００９９】
送信装置２０は、先に例えば図４を参照して説明した放送サーバ（放送局）２１によって構成される。
送信装置２０は、先に図６を参照して説明したように、例えばＭＰＥＧ−ＤＡＳＨ規格に従ってデータ送信を実行し、図６に示すように、大きく分けて以下の複数種類のデータの送信を行う。
（ａ）画像データ
（ｂ）音声データ
（ｃ）シグナリングデータ
【０１００】
画像データ、音声データは、例えばテレビ番組を構成するコンテンツデータである。
これらは、分割データとしてのＡＶセグメントとして送信される。
一方、シグナリングデータは、例えば、番組表等の番組予定情報や、番組取得に必要となるアドレス情報（ＵＲＬ（Ｕｎｉｆｏｒｍ  Ｒｅｓｏｕｒｃｅ  Ｌｏｃａｔｏｒ）等）、さらにコンテンツの再生処理に必要な情報、例えばコーデック情報（符号化方式など）などからなる案内情報、アプリケーション制御情報等の様々な制御情報によって構成される。
【０１０１】
シグナリングデータは、随時、繰り返し送信される。例えば１００ｍｓｅｃ毎など、頻繁に繰り返し送信される。
これは、受信装置３０が、いつでも、即座にシグナリングデータを取得することを可能とするためである。
受信装置３０は、随時、受信可能なシグナリングデータに基づいて、必要な番組コンテンツのアクセス用アドレスの取得や、コーデック設定処理など、番組コンテンツの受信および再生に必要な処理を遅滞なく実行することが可能となる。
【０１０２】
上述した緊急情報もシグナリングデータとして送信される。
緊急情報は、先に説明した緊急情報伝送のためのＣＡＰ（Ｃｏｍｍｏｎ  Ａｌｅｒｔｉｎｇ  Ｐｒｏｔｏｃｏｌ）フォーマットに従ったデータとして、送信装置２０から、受信装置３０に送信される。
ＣＡＰメッセージには、受信装置に出力緊急情報の他、緊急情報の様々な属性情報、例えば、緊急情報のカテゴリ、緊急情報の緊急度や発信元情報、緊急情報の通知が必要な地域情報等、様々な緊急情報に関する情報が付与されている。
【０１０３】
このＣＡＰメッセージを受信した受信装置３０は、受信したＣＡＰメッセージを解析して、例えば緊急情報のカテゴリや緊急度、あるいは、ユーザ端末の現在位置等に応じて必要な情報を選択してユーザ端末に出力（表示）する。
【０１０４】
また、シグナリングデータには、先に図７〜図９を参照して説明した緊急情報の視聴実績情報を記録したレポートデータであるＣＤＭの送付先情報、例えば図４に示す視聴情報解析装置４０のアドレス（ＵＲＬ）や、ＣＤＭの送付タイミング情報を含む「ＣＤＭ送信情報」が含まれる。
【０１０５】
受信装置３０は、シグナリングデータとして送信される「ＣＤＭ送信情報」を参照して、先に図７〜図９を参照して説明した緊急情報の視聴実績情報を記録したレポートデータであるＣＤＭの送付先アドレスや、送信タイミング情報を取得し、これらのデータに従って、ＣＤＭを視聴情報解析装置４０に送信する。
【０１０６】
図１０には、送信装置２０から送信され、受信装置３０によって受信されるデータの一例を示している。
送信装置２０は、チャンネル１．１の番組コンテンツである放送コンテンツ（ＡＶセグメント）を送信し、さらに、シグナリングデータを送信している。
受信装置３０は、チャンネル１．１の番組コンテンツを受信し、さらに、シグナリングデータを随時、受信することが可能な設定となっている。
【０１０７】
なお、図１０には、時間ｔ０，ｔ１，ｔ２・・・の時間経過に伴った処理を示している。
以下、各時間（ｔ０，ｔ１，ｔ２，・・・）における処理について、順次、説明する。
【０１０８】
（時間ｔ０）
まず、時間ｔ０において、受信装置３０側のユーザがチャンネル１．１の番組コンテンツの受信を開始する。
送信装置２０は、時間ｔ０〜ｔ１の期間ニュース番組を配信しており、受信装置３０には、時間ｔ０〜ｔ１の期間、ニュース番組が表示される。
【０１０９】
（時間ｔ１）
時間ｔ１において、送信装置２０の送信番組が野球に切り替わる。
受信装置３０は、継続してチャンネル１．１の番組を受信しており、受信装置３０には野球が表示される。
【０１１０】
（時間ｔ２）
時間ｔ２において、送信装置２０から緊急情報１０１がシグナリングデータとして送信され、受信装置３０において受信される。
緊急情報１０１は、先に説明した緊急情報伝送のためのＣＡＰ（Ｃｏｍｍｏｎ  Ａｌｅｒｔｉｎｇ  Ｐｒｏｔｏｃｏｌ）フォーマットに従ったデータとして、送信装置２０から送信される。ＣＡＰメッセージには、受信装置に出力する緊急情報の他、緊急情報の様々な属性情報、例えば、緊急情報のカテゴリ、緊急情報の緊急度や発信元情報、緊急情報の通知が必要な地域情報等、様々な緊急情報に関する詳細な情報が付与されている。
【０１１１】
（時間ｔ３〜ｔ４）
時間ｔ３において、受信装置３０は、ＣＡＰメッセージを解析し、ＣＡＰメッセージ内から緊急情報メッセージを取り出して、ＣＡＰメッセージ内の記録情報に従ってメッセージ出力処理を実行する。
図に示すように、受信装置３０には、時間ｔ３からｔ４まで、［竜巻注意報（ｔｏｒｎａｄｅ  Ｗａｒｎｉｎｇ）］のメッセージが出力表示される。
【０１１２】
受信装置３０は、この緊急情報の出力に関する情報をログとして記録する。このログ記録処理は、受信装置３０に予め保持されたアプリケーション（プログラム）に従って実行される。
具体的には、例えば緊急情報の出力開始時間や終了時間、緊急情報出りょをく時の受信装置の位置情報、さらに出力メッセージ等の様々な情報がログとして記録される。
ログデータは受信装置の記憶部に格納される。
【０１１３】
（時間ｔ５）
時間ｔ５において、送信装置２０からＣＤＭ送信情報１０２がシグナリングデータとして送信され、受信装置３０において受信される。
【０１１４】
ＣＤＭ送信情報１０１は、先に図７〜図９を参照して説明した緊急情報の視聴実績情報を記録したレポートデータであるＣＤＭの送付先情報、例えば図４に示す視聴情報解析装置４０のアドレス（ＵＲＬ）や、ＣＤＭの送付タイミング情報を含むＣＤＭ送信情報が含まれる。
【０１１５】
さらに、受信装置は、送信するためのＣＤＭの生成処理を実行する。ＣＤＭは、時間ｔ３〜ｔ４において記録したログデータを記憶部から読み出して実行される。
生成するＣＤＭは、先に図７〜図９を参照して説明した緊急情報の視聴実績情報を含むＣＤＭである。すなわち、例えば以下の緊急情報視聴実績データが記録されたＣＤＭである。
（１）緊急情報識別子
（２）緊急情報送信元識別子
（３）緊急情報の出力開始時間
（４）緊急情報の出力終了時間
（５）受信装置の位置情報
（６）〜（８）緊急情報のステータス、タイプ、スコープ情報
（９）〜（１３）緊急情報のカテゴリ、イベント、緊急度、重要度、確実性情報
【０１１６】
（時間ｔ６）
受信装置３０は、時間ｔ６において、受信したＣＤＭ送信情報を参照して、先に図７〜図９を参照して説明した緊急情報の視聴実績情報を記録したレポートデータであるＣＤＭの送付先アドレスや、送信タイミング情報を取得し、これらのデータに従って、ＣＤＭを視聴情報解析装置４０に送信する。
【０１１７】
受信装置３０の送信するＣＤＭは、先に図７〜図９を参照して説明した緊急情報の視聴実績情報を含むＣＤＭである。すなわち、例えば以下の緊急情報視聴実績データが記録されたＣＤＭである。
（１）緊急情報識別子
（２）緊急情報送信元識別子
（３）緊急情報の出力開始時間
（４）緊急情報の出力終了時間
（５）受信装置の位置情報
（６）〜（８）緊急情報のステータス、タイプ、スコープ情報
（９）〜（１３）緊急情報のカテゴリ、イベント、緊急度、重要度、確実性情報
【０１１８】
視聴情報解析装置４０は、多くの受信装置から送信されるＣＤＭを解析し、各受信装置における緊急情報の受信、出力状況を解析することができる。
【０１１９】
なお、上述した説明では、緊急情報の視聴実績データを記録したＣＤＭの生成、送信処理を、緊急情報の配信テストにおいて実行する処理例として説明したが、テストのみならず、実際の緊急情報配信処理に際しても、緊急情報の視聴実績データを記録したＣＤＭの生成、送信処理を行なうことが可能である。
【０１２０】
［４．緊急情報を受信して出力する受信装置における処理シーケンスについて］
次に、緊急情報を受信し、出力する例えばＴＶ等のユーザ装置である受信装置の実行する処理のシーケンスについて、図１１に示すフローチャートに従って説明する。
【０１２１】
なお、図１１に示すフローチャートに従った処理を実行する受信装置は、例えば、図４に示す受信装置３０であり、例えばＴＶ等のユーザ装置である。
受信装置３０は、例えば、図１１に示すフローチャートに従った処理を実行させるプログラムを記憶部に格納し、このプログラムを例えばプログラム実行機能を持つＣＰＵを有するデータ処理部において実行する。
以下、図１１に示すフローの各ステップの処理について説明する。
【０１２２】
（ステップＳ１１１）
受信装置は、まず、ステップＳ１１１において、緊急放送を受信し、受信した緊急放送を受信装置に出力する。
【０１２３】
前述したように、緊急情報は、緊急情報伝送のためのＣＡＰ（Ｃｏｍｍｏｎ  Ａｌｅｒｔｉｎｇ  Ｐｒｏｔｏｃｏｌ）フォーマットに従ったデータ（ＣＡＰメッセージ）として、送信装置から送信される。ＣＡＰメッセージには、受信装置に出力する緊急情報の他、緊急情報の様々な属性情報、例えば、緊急情報のカテゴリ、緊急情報の緊急度や発信元情報、緊急情報の通知が必要な地域情報等、様々な緊急情報に関する詳細な情報が付与されている。
【０１２４】
受信装置は、ステップＳ１１１において、受信したＣＡＰメッセージを解析し、ＣＡＰメッセージ内から緊急情報メッセージを取り出して、ＣＡＰメッセージ内の記録情報に従ってメッセージ出力処理を実行する。
【０１２５】
（ステップＳ１１２）
次に、受信装置は、ステップＳ１１２において、緊急放送の出力状況に関する情報を記録するログ取得処理を実行する。具体的には、先に図７〜図９を参照して説明した緊急情報視聴実績データを含むＣＤＭに記録するためのデータの取得処理等を実行する。
【０１２６】
（ステップＳ１１３）
次に、受信装置は、ステップＳ１１３において、緊急情報の視聴情報を含むＣＤＭを生成する。
受信装置の生成するＣＤＭは、先に図７〜図９を参照して説明した緊急情報の視聴実績情報を含むＣＤＭである。すなわち、例えば以下の緊急情報視聴実績データが記録されたＣＤＭである。
（１）緊急情報識別子
（２）緊急情報送信元識別子
（３）緊急情報の出力開始時間
（４）緊急情報の出力終了時間
（５）受信装置の位置情報
（６）〜（８）緊急情報のステータス、タイプ、スコープ情報
（９）〜（１３）緊急情報のカテゴリ、イベント、緊急度、重要度、確実性情報
【０１２７】
（ステップＳ１１４）
次に、受信装置は、ステップＳ１１４において、生成したＣＤＭを、指定送信先に送信する。
なお、ＣＤＭの送信先情報や、送信タイミング情報は、先に図１０を参照して説明したように、別途、送信装置から送信されるＣＤＭ送信情報に記録されている。
受信装置は、ＣＤＭ送信情報を受信し、受信したＣＤＭ送信情報に記録されたデータに従って、ＣＤＭの送信先や送信タイミングを取得して、指定送信先に対するＣＤＭ送信処理を実行する。
【０１２８】
［５．受信装置から送信されるＣＤＭを受信し、解析する視聴情報解析装置の処理について］
次に、図１１を参照して説明したフローに従って受信装置が生成して送信したＣＤＭを受信し、解析する視聴情報解析装置の処理について説明する。
【０１２９】
図１２に示すフローチャートに従った処理を実行する視聴情報解析装置は、例えば、図４に示す視聴情報解析装置４０である。
視聴情報解析装置４０は、例えば、図１２に示すフローチャートに従った処理を実行させるプログラムを記憶部に格納し、このプログラムを例えばプログラム実行機能を持つＣＰＵを有するデータ処理部において実行する。
以下、図１２に示すフローの各ステップの処理について説明する。
【０１３０】
（ステップＳ１２１）
視聴情報解析装置は、まず、ステップＳ１２１において、受信装置から、緊急情報視聴情報を記録したＣＤＭを受信する。
【０１３１】
なお、受信装置から受信するＣＤＭは、先に図７〜図９を参照して説明した緊急情報の視聴実績情報を含むＣＤＭである。すなわち、例えば以下の緊急情報視聴実績データが記録されたＣＤＭである。
（１）緊急情報識別子
（２）緊急情報送信元識別子
（３）緊急情報の出力開始時間
（４）緊急情報の出力終了時間
（５）受信装置の位置情報
（６）〜（８）緊急情報のステータス、タイプ、スコープ情報
（９）〜（１３）緊急情報のカテゴリ、イベント、緊急度、重要度、確実性情報
【０１３２】
（ステップＳ１２２）
次に、視聴情報解析装置は、ステップＳ１２２において、受信装置から受信したＣＤＭを解析し、ＣＤＭに記録された緊急情報視聴情報を取得する。
すなわち、先に図７〜図９を参照して説明した緊急情報の視聴実績情報を取得する。
【０１３３】
（ステップＳ１２３）
次に、視聴情報解析装置は、ステップＳ１２３において、ＣＤＭからの取得データに従い、受信装置における緊急情報視聴情報の解析を実行する。
【０１３４】
視聴情報解析装置は、多くの受信装置から受信したＣＤＭを解析し、各受信装置において視帳された緊急情報についての各情報、例えば、先に図７〜図９を参照して説明した以下の各情報についての解析を行う。
（１）緊急情報識別子
（２）緊急情報送信元識別子
（３）緊急情報の出力開始時間
（４）緊急情報の出力終了時間
（５）受信装置の位置情報
（６）〜（８）緊急情報のステータス、タイプ、スコープ情報
（９）〜（１３）緊急情報のカテゴリ、イベント、緊急度、重要度、確実性情報
【０１３５】
これらのデータ解析により、例えば、実際に緊急情報が各受信装置に表示された時間や、地域ごとの緊急情報の視聴状況など、様々な緊急情報の視聴状況データを取得することができる。
【０１３６】
［６．送信装置、受信装置、視聴情報解析装置の構成例について］
次に、通信装置である送信装置２０と、受信装置３０と、視聴情報解析装置４０の装置構成例について、図１３、図１４を参照して説明する。
【０１３７】
図１３には、送信装置２０と、受信装置３０と、視聴情報解析装置４０の構成例を示している。
送信装置２０は、データ処理部２５１、通信部２５２、記憶部２５３を有する。
受信装置３０は、データ処理部２７１、通信部２７２、記憶部２７３、入力部２７４、出力部７２５を有する。
データ処理部には通信データ処理部２７１ａ、再生処理部２７１ｂが含まれる。
視聴情報解析装置４０は、データ処理部２８１、通信部２８２、記憶部２８３を有する。
【０１３８】
送信装置２０のデータ処理部２５１は、データ配信サービスを実行するための各種のデータ処理を実行する。例えばデータ配信サービスの構成データの生成や送信制御を行う。さらに、データ処理部２５１は、受信装置３０に提供するコンテンツ、アプリケーション、その他の様々なデータや、シグナリングデータの生成、送信処理を行う。
なお、シグナリングデータには、例えば、緊急情報や、ＣＤＭ生成、送信に適用するためのＣＤＭ送信情報が含まれる。
【０１３９】
通信部２５２は、ＡＶセグメントの他、アプリケーション、その他の様々なデータ、シグナリングデータ等の配信等の通信処理を行う。
記憶部２５３は配信対象とするＡＶセグメント、アプリケーション、アプリケーションによって利用されるデータ、シグナリングデータなどが格納される。
さらに、記憶部２５３は、データ処理部２５１の実行するデータ処理のワークエリアとして利用され、また各種パラメータの記憶領域としても利用される。
【０１４０】
一方、受信装置３０は、データ処理部２７１、通信部２７２、記憶部２７３、入力部２７４、出力部７２５を有する。
通信部２７２は、送信装置２０から配信されるデータ、例えばＡＶセグメントやアプリケーション、シグナリングデータ等を受信する。
なお、シグナリングデータには、例えば、緊急情報や、ＣＤＭ生成、送信に適用するためのＣＤＭ送信情報が含まれる。
【０１４１】
データ処理部２７１は、通信データ処理部２７１ａ、再生処理部２７１ｂを有し、例えば先に説明した実施例に従った処理等を実行する。
具体的には、ＣＤＭの生成処理や、送信処理等を実行する。
例えば、先に説明した緊急情報の視聴実績データを含むＣＤＭを生成して視聴情報解析装置に対して送信する。
【０１４２】
ユーザの指示コマンド、例えばチャンネル選択、アプリケーション起動、インストール等の様々なコマンドは入力部２７４を介して入力される。
再生データは表示部やスピーカ等の出力部２７５に出力される。
記憶部２７３はＡＶセグメント、アプリケーション、アプリケーションによって利用されるデータ、シグナリングデータなどが格納される。
さらに、記憶部２７３は、データ処理部２７１の実行するデータ処理のワークエリアとして利用され、また各種パラメータの記憶領域としても利用される。
【０１４３】
視聴情報解析装置４０のデータ処理部２８１は、視聴情報解析処理等の各種のデータ処理を実行する。例えば、受信装置３０から受信する緊急情報視聴実績データを含むＣＤＭを解析する処理などを行う。
【０１４４】
通信部２８２は、受信装置３０との通信データの通信処理を行う。
記憶部２８３はＣＤＭの解析結果などが格納される。さらに受信装置に関する情報、ＣＤＭ解析処理を実行するためのアプリケーション、プログラムなどが格納される。
さらに、記憶部２８３は、データ処理部２８１の実行するデータ処理のワークエリアとして利用され、また各種パラメータの記憶領域としても利用される。
【０１４５】
なお、前述したように、上述した説明では、緊急情報の視聴実績データを記録したＣＤＭの生成、送信処理、解析処理を、緊急情報の配信テストにおいて実行する処理例として説明したが、テストのみならず、実際の緊急情報配信処理に際しても、緊急情報の視聴実績データを記録したＣＤＭの生成、送信、解析処理を行なうことが可能である。
【０１４６】
図１４は、送信装置２０、受信装置３０、視聴情報解析装置４０として適用可能な通信装置のハードウェア構成例を示している。
【０１４７】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２、または記憶部３０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）３０３には、ＣＰＵ３０１が実行するプログラムやデータなどが記憶される。これらのＣＰＵ３０１、ＲＯＭ３０２、およびＲＡＭ３０３は、バス３０４により相互に接続されている。
【０１４８】
ＣＰＵ３０１はバス３０４を介して入出力インタフェース３０５に接続され、入出力インタフェース３０５には、各種スイッチ、キーボード、マウス、マイクロホンなどよりなる入力部３０６、ディスプレイ、スピーカなどよりなる出力部３０７が接続されている。ＣＰＵ３０１は、入力部３０６から入力される指令に対応して各種の処理を実行し、処理結果を例えば出力部３０７に出力する。
【０１４９】
入出力インタフェース３０５に接続されている記憶部３０８は、例えばハードディスク等からなり、ＣＰＵ３０１が実行するプログラムや各種のデータを記憶する。通信部３０９は、インターネットやローカルエリアネットワークなどのネットワークを介したデータ通信の送受信部、さらに放送波の送受信部として機能し、外部の装置と通信する。
【０１５０】
入出力インタフェース３０５に接続されているドライブ３１０は、磁気ディスク、光ディスク、光磁気ディスク、あるいはメモリカード等の半導体メモリなどのリムーバブルメディア３１１を駆動し、データの記録あるいは読み取りを実行する。
【０１５１】
［７．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１５２】
なお、本明細書において開示した技術は、以下のような構成をとることができる。
（１）  緊急情報を受信し、出力する通信装置であり、
緊急情報の視聴実績情報を記録した緊急情報視聴実績レポートを生成するデータ処理部と、
生成した前記緊急情報視聴実績レポートを送信する通信部を有し、
前記データ処理部は、
通信装置が出力した緊急情報の識別子と、緊急情報の出力時間情報を記録した緊急情報視聴実績レポートを生成する通信装置。
【０１５３】
（２）  前記データ処理部は、
前記緊急情報視聴実績レポートを、ＣＤＭ（Ｃｏｎｓｕｍｐｔｉｏｎ  Ｄａｔａ  Ｍｅｓｓａｇｅ）フォーマットに従って生成する（１）に記載の通信装置。
【０１５４】
（３）  前記データ処理部は、
前記通信装置における前記緊急情報の出力開始時間と、出力終了時間を記録した緊急情報視聴実績レポートを生成する（１）または（２）に記載の通信装置。
【０１５５】
（４）  前記データ処理部は、
前記通信装置において出力した前記緊急情報の送信元情報を記録した緊急情報視聴実績レポートを生成する（１）〜（３）いずれかに記載の通信装置。
【０１５６】
（５）  前記データ処理部は、
前記通信装置における前記緊急情報の出力時の前記通信装置の位置情報を記録した緊急情報視聴実績レポートを生成する（１）〜（４）いずれかに記載の通信装置。
【０１５７】
（６）  前記データ処理部は、
（ａ）前記通信装置において出力した前記緊急情報のタイプ情報、
（ｂ）前記通信装置において出力した前記緊急情報のメッセージデータを含むイベント情報、
（ｃ）前記通信装置において出力した前記緊急情報の重要度情報、
（ｄ）前記通信装置において出力した前記緊急情報の緊急度情報、
上記（ａ）〜（ｄ）の少なくともいずれかの情報を記録した緊急情報視聴実績レポートを生成する（１）〜（５）いずれかに記載の通信装置。
【０１５８】
（７）  前記データ処理部は、
出力用の緊急情報の他、該緊急情報に関する属性情報を含むＣＡＰ（Ｃｏｍｍｏｎ  Ａｌｅｒｔｉｎｇ  Ｐｒｏｔｏｃｏｌ）フォーマットに従ったＣＡＰメッセージを受信し、該ＣＡＰメッセージの解析結果に応じて緊急情報の出力処理を実行する（１）〜（６）いずれかに記載の通信装置。
【０１５９】
（８）  前記データ処理部は、
前記ＣＡＰメッセージ内に記録された情報を利用して、前記緊急情報視聴実績レポートを生成する（７）に記載の通信装置。
【０１６０】
（９）  前記データ処理部は、
出力用の緊急情報の他、該緊急情報の出力制御プログラムを含む緊急情報出力アプリケーションを受信し、該緊急情報出力アプリケーションを実行して緊急情報の出力処理を実行する（１）〜（８）いずれかに記載の通信装置。
【０１６１】
（１０）  前記緊急情報出力アプリケーションは、前記緊急情報視聴実績レポートを生成するプログラム、または、記緊急情報視聴実績レポートを生成するために必要となるデータを取得するためのプログラムを含む（９）に記載の通信装置。
【０１６２】
（１１）  前記データ処理部は、
シグナリングデータとして送信される緊急情報視聴実績レポート送信情報を受信し、受信した緊急情報視聴実績レポート送信情報を参照して、前記緊急情報視聴実績レポートの送信先アドレス、および送信タイミング情報を取得し、取得情報に従って緊急情報視聴実績レポートの送信処理を実行する（１）〜（１０）いずれかに記載の通信装置。
【０１６３】
（１２）  緊急情報受信装置の送信する緊急情報視聴実績レポートを受信する通信部と、
前記緊急情報視聴実績レポートの解析処理を実行するデータ処理部を有する通信装置。
【０１６４】
（１３）  前記緊急情報視聴実績レポートは、ＣＤＭ（Ｃｏｎｓｕｍｐｔｉｏｎ  Ｄａｔａ  Ｍｅｓｓａｇｅ）フォーマットに従ったデータである（１２）に記載の通信装置。
【０１６５】
（１４）  前記緊急情報視聴実績レポートは、
前記緊急情報受信装置における前記緊急情報の出力開始時間と、出力終了時間を記録した緊急情報視聴実績レポートである（１２）または（１３）に記載の通信装置。
【０１６６】
（１５）  前記緊急情報視聴実績レポートは、
（ａ）前記緊急情報受信装置において出力した前記緊急情報の送信元情報、
（ｂ）前記緊急情報受信装置における前記緊急情報の出力時の前記通信装置の位置情報、
（ｃ）前記緊急情報受信装置において出力した前記緊急情報のタイプ情報、
（ｄ）前記緊急情報受信装置において出力した前記緊急情報のメッセージデータを含むイベント情報、
（ｅ）前記緊急情報受信装置において出力した前記緊急情報の重要度情報、
（ｆ）前記緊急情報受信装置において出力した前記緊急情報の緊急度情報、
上記（ａ）〜（ｆ）の少なくともいずれかの情報を記録した緊急情報視聴実績レポートである（１２）〜（１４）いずれかに記載の通信装置。
【０１６７】
（１６）  前記緊急情報視聴実績レポートは、
前記緊急情報受信装置の受信した緊急情報通信用フォーマットデータであるＣＡＰ（Ｃｏｍｍｏｎ  Ａｌｅｒｔｉｎｇ  Ｐｒｏｔｏｃｏｌ）フォーマットデータに記録されたデータを含む（１２）〜（１５）いずれかに記載の通信装置。
【０１６８】
（１７）  緊急情報出力アプリケーションを生成するデータ処理部と、
前記緊急情報出力アプリケーションを受信装置に送信する通信部を有し、
前記緊急情報出力アプリケーションは、
前記受信装置において出力する緊急情報の他、該緊急情報の出力制御プログラム、および、前記受信装置における緊急情報視聴実績レポートを生成するプログラムを含むアプリケーションである通信装置。
【０１６９】
（１８）  緊急情報を受信し、出力する通信装置において実行するデータ処理方法であり、
データ処理部が、緊急情報の視聴実績情報を記録した緊急情報視聴実績レポートを生成し、
通信部が、生成した前記緊急情報視聴実績レポートを送信する処理を実行し、
前記データ処理部は、
通信装置が出力した緊急情報の識別子と、緊急情報の出力時間情報を記録した緊急情報視聴実績レポートを生成するデータ処理方法。
【０１７０】
（１９）  緊急情報受信装置から、緊急情報視聴実績レポートを受信する通信装置において実行するデータ処理方法であり、
通信部が、前記緊急情報受信装置が送信する緊急情報視聴実績レポートを受信し、
データ処理部が、前記緊急情報視聴実績レポートの解析処理を実行するデータ処理方法。
【０１７１】
（２０）  緊急情報の送信処理を実行する通信装置において実行するデータ処理方法であり、
データ処理部が、緊急情報出力アプリケーションを生成し、
通信部が、前記緊急情報出力アプリケーションを受信装置に送信する処理を実行し、
前記緊急情報出力アプリケーションは、
前記受信装置において出力する緊急情報の他、該緊急情報の出力制御プログラム、および、前記受信装置における緊急情報視聴実績レポートを生成するプログラムを含むアプリケーションであるデータ処理方法。
【０１７２】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１７３】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１７４】
以上、説明したように、本開示の一実施例の構成によれば、緊急情報のエンドポイントであるＴＶ等の受信装置における緊急情報の視聴実績を確認可能とした構成が実現される。
具体的には、緊急情報を受信し、出力するＴＶ等の受信装置のデータ処理部が、緊急情報の視聴実績情報を記録した緊急情報視聴実績レポートを生成し、生成した緊急情報視聴実績レポートを、管理サーバ等に送信する。データ処理部は、受信装置が出力した緊急情報の識別子と、緊急情報の出力時間情報を記録した緊急情報視聴実績レポートを、ＣＤＭ（Ｃｏｎｓｕｍｐｔｉｏｎ  Ｄａｔａ  Ｍｅｓｓａｇｅ）フォーマットに従って生成する。ＣＤＭには、緊急情報の出力時間情報の他、受信装置の位置情報、緊急情報の送信元情報等が記録される。
本構成により、緊急情報のエンドポイントであるＴＶ等の受信装置における緊急情報の視聴実績を確認可能とした構成が実現される。
【符号の説明】
【０１７５】
１１  連邦機関レベル通信装置
１２  州レベル通信装置
１３  地方レベル通信装置
１４  放送局
１５  受信装置
１６  視聴者
２０  送信装置
２１  放送サーバ
３０  受信装置
３１  ＴＶ
３２  ＰＣ
３３  携帯端末
４０  視聴情報解析装置
４１  視聴情報解析サーバ
１０１  緊急情報
１０２  ＣＤＭ送信情報
２５１  データ処理部
２５２  通信部
２５３  記憶部
２７１  データ処理部
２７２  通信部
２７３  記憶部
２７４  入力部
２７５  出力部
２８１  データ処理部
２８２  通信部
２８３  記憶部
３０１  ＣＰＵ
３０２  ＲＯＭ
３０３  ＲＡＭ
３０４  バス
３０５  入出力インタフェース
３０６  入力部
３０７  出力部
３０８  記憶部
３０９  通信部
３１０  ドライブ
３１１  リムーバブルメディア
【図１】
2017038494.tif 000003
【図２】
2017038494.tif 000004
【図３】
2017038494.tif 000005
【図４】
2017038494.tif 000006
【図５】
2017038494.tif 000007
【図６】
2017038494.tif 000008
【図７】
2017038494.tif 000009
【図８】
2017038494.tif 000010
【図９】
2017038494.tif 000011
【図１０】
2017038494.tif 000012
【図１１】
2017038494.tif 000013
【図１２】
2017038494.tif 000014
【図１３】
2017038494.tif 000015
【図１４】
2017038494.tif 000016
【国際調査報告】
2017038494.tif 000017
2017038494.tif 000018